(57)【特許請求の範囲】
【請求項１】
温風暖房機等の筐体と、前記筐体背面に設けた背面カバーと、前記背面カバーの側面に開口した穴部と、壁面に固定されるＬ字状の壁固定金具と、一片を前記穴部にネジ等の調節固定具で回動可能に固定されると共に、他片を前記壁固定金具にネジ等の組み合わせ固定具で回動可能に固定されると共に、前記背面カバーの奥行きの長さよりも長いアーム部とを備え、
前記穴部は、前記背面カバーの側面の壁面側の上部の一端と、この一端から少なくとも前記背面カバーの奥行きの長さよりも遠い位置に他端とを結んだ長穴とすると共に、前記アーム部は前記長穴の一端と前記長穴の他端を直線で結んだ長さと略同寸の長さを備え、前記アーム部と前記調節固定具は前記長穴の範囲内をスライド可能にするようにしたことを特徴とした壁固定構造
【請求項２】
温風暖房機等の筐体と、前記筐体背面に設けた背面カバーと、前記背面カバーの側面に開口した穴部と、壁面に固定されるＬ字状の壁固定金具と、一片を前記穴部にネジ等の調節固定具で回動可能に固定されると共に、他片を前記壁固定金具にネジ等の組み合わせ固定具で回動可能に固定されると共に、前記背面カバーの奥行きの長さよりも長いアーム部とを備え、
前記穴部は、前記背面カバーの側面の壁面側の上端近傍の一端と、前記筐体側の下端近傍の他端とを結んだ長穴とすると共に、前記アーム部は前記長穴の一端と前記長穴の他端を直線で結んだ長さと略同寸の長さを備え、前記アーム部と前記調節固定具は前記長穴の範囲内をスライド可能にするようにしたことを特徴とする壁固定構造。
【請求項３】
前記アーム部が前記背面カバーに固定される側に向けて、前記背面カバーの端面に直角に折り返すような折り返し部を設け、前記折り返し部に前記アーム部を出し入れ可能な差し込み口を開口したことを特徴とする請求項１または請求項２記載の壁固定構造。
【請求項４】
前記背面カバーには、前記アーム部を前記差し込み口から奥に差し込んだ際に、前記組み合わせ固定具が前記背面カバーに当たる位置の水平方向に開口したカバー側切り欠き部を設けると共に、前記折り返し部には前記アーム部を出し入れする際に、前記組み合わせ固定具が通過する位置の水平方向に開口した折り返し側切り欠き部を設けたことを特徴とする請求項３記載の壁固定構造。
【発明の詳細な説明】
【技術分野】
【０００１】
本発明は、筐体と壁とを固定する壁固定金具の壁固定構造に関する。
【背景技術】
【０００２】
従来よりこの種の、たとえば温風暖房機と壁を固定する壁固定金具は、L字型の形状をしていると共に、前記温風暖房機の背面の対流用送風機保護カバーには略水平方向に長穴スリットが開口されている。そして、前記Ｌ字の長い部分にはカバー固定穴が開口され、前記Ｌ字の短い部分には壁固定穴が開口されている。前記壁固定金具の短い部分の前記壁固定穴を介して短い部分と壁とをネジ等の壁固定具で固定し、前記壁固定金具の長い部分の前記カバー固定穴を介して長い部分と前記長穴スリットとをネジ等のカバー固定具で固定するようにしているため、前記温風暖房機設置時に前記温風暖房機と壁との距離を適宜変更しても、前記長穴スリットの寸法分だけ前記カバー固定具の螺着位置を変更することで固定することができる。（特許文献１参照）
【先行技術文献】
【特許文献】
【０００３】
【特許文献１】実公平７―４９３２２号公報
【発明の概要】
【発明が解決しようとする課題】
【０００４】
しかし、特許文献１のように、Ｌ字形状の壁固定金具では前記カバーの水平方向に開口された前記長穴スリットにしか螺着することが出来ず、前記筐体と前記壁面との設置距離は前記長穴スリットの幅に制限されてしまう。前記筐体と前記壁面との距離が前記壁固定金具の長さよりも遠い場合は前記壁固定金具のサイズを変更して、新しいロングサイズの壁固定金具に付け替えることで設置可能な範囲を広げていたが、工数が増加することによるコストアップの問題があった。
【課題を解決するための手段】
【０００６】
本発明は上記課題を解決するため、温風暖房機等の筐体と、前記筐体背面に設けた背面カバーと、前記背面カバーの側面に開口した穴部と、壁面に固定されるＬ字状の壁固定金具と、一片を前記穴部にネジ等の調節固定具で回動可能に固定されると共に、他片を前記壁固定金具にネジ等の組み合わせ固定具で回動可能に固定されると共に、前記背面カバーの奥行きの長さよりも長いアーム部とを備え、前記穴部は、前記背面カバーの側面の壁面側の上部の一端と、この一端から少なくとも前記背面カバーの奥行きの長さよりも遠い位置に他端とを結んだ長穴とすると共に、前記アーム部は前記長穴の一端と前記長穴の他端を直線で結んだ長さと略同寸の長さを備え、前記アーム部と前記調節固定具は前記長穴の範囲内をスライド可能にするようにした。
【０００７】
また、温風暖房機等の筐体と、前記筐体背面に設けた背面カバーと、前記背面カバーの側面に開口した穴部と、壁面に固定されるＬ字状の壁固定金具と、一片を前記穴部にネジ等の調節固定具で回動可能に固定されると共に、他片を前記壁固定金具にネジ等の組み合わせ固定具で回動可能に固定されると共に、前記背面カバーの奥行きの長さよりも長いアーム部とを備え、前記穴部は、前記背面カバーの側面の壁面側の上端近傍の一端と、前記筐体側の下端近傍の他端とを結んだ長穴とすると共に、前記アーム部は前記長穴の一端と前記長穴の他端を直線で結んだ長さと略同寸の長さを備え、前記アーム部と前記調節固定具は前記長穴の範囲内をスライド可能にするようにした。
【０００８】
また、前記アーム部が前記背面カバーに固定される側に向けて、前記背面カバーの端面に直角に折り返すような折り返し部を設け、前記折り返し部に前記アーム部を出し入れ可能な差し込み口を開口した。
【０００９】
また、前記背面カバーには、前記アーム部を前記差し込み口から奥に差し込んだ際に、前記組み合わせ固定具が前記背面カバーに当たる位置の水平方向に開口したカバー側切り欠き部を設けると共に、前記折り返し部には前記アーム部を出し入れする際に、前記組み合わせ固定具が通過する位置の水平方向に開口した折り返し側切り欠き部を設けた。
【発明の効果】
【００１０】
本発明によれば、前記筐体と前記壁面との設置距離が近距離の場合は、前記アーム部と前記壁固定金具を回動させて角度をつけることで、前記壁固定金具と前記アーム部とを介して前記背面カバーと前記壁面とを固定することができる。また、遠距離の場合は前記壁固定金具と前記アーム部とを水平にすることで、前記壁固定金具と前記アーム部とを介して前記背面カバーと前記壁面とを固定することができる。このような壁固定構造により、設置距離に応じた長短の金具を付け替えることなく簡単な構成で前記筐体と前記壁との設置距離が変わっても前記壁固定金具と前記アーム部を回動させることで固定する事ができると共に、設置可能な範囲も広くすることができる。
【００１１】
また、記背面カバーの側面に前記長穴を設けると共に、前記アーム部は前記長穴の一端と前記長穴の他端を直線で結んだ長さと略同寸の長さを備え、前記アーム部と前記調節固定具は前記長穴の範囲内をスライド可能にしたことで、前記筐体と前記壁面との設置距離が近距離の場合は、前記壁固定金具と前記アーム部とを回動させて角度をつけ、前記調節金具を前記長穴の他端側にスライドさせて、前記アーム部を前記背面カバー側面と重ねることで、前記壁固定金具と前記アーム部とを介して前記背面カバーと前記壁面とを固定することができる。また、遠距離の場合は前記背面カバーの側面に重ねてあった前記アーム部を引き出し、前記壁固定金具と前記アーム部とを水平にすることで、前記壁固定金具と前記アーム部とを介して前記背面カバーと前記壁面とを固定することができる。このような壁固定構造により前記筐体の設置距離に関わらず、前記壁固定金具を前記壁面の上部で取り付けることができるので、取り付け作業をする際に作業がしやすいと共に、前記長穴の奥行き分だけ設置可能な範囲を広げることができる。
【００１２】
また、前記背面カバーの側面の壁面側の上端近傍の一端と、前記筐体側の下端近傍の他端を結んだ長穴とすると共に、前記アーム部は前記長穴の一端と前記長穴の他端を直線で結んだ長さと略同寸の長さを備え、前記アーム部と前記調節固定具は前記長穴の範囲内をスライド可能にするようにしたことで、前記筐体と前記壁面との設置距離が近距離の場合は前記前記壁固定金具と前記アーム部とを回動させて角度をつけ、前記調節金具を前記長穴の他端側にスライドさせ、背面カバーの側面に前記アーム部を重ねた際に、前記背面カバーを前記アーム部が不必要にはみ出さずに前記壁固定金具と前記アーム部とを介して前記背面カバーと前記壁面とを固定することができる。また、前記筐体と前記壁面との設置距離が遠距離の場合は、重ねてあった前記アーム部を引き出し、前記壁固定金具と前記アーム部とを水平にすることで、前記壁固定金具と前記アーム部とを介して前記背面カバーと前記壁面とを固定することができる。このような壁固定構造により、前記背面カバーから不必要にはみ出さずに前記アーム部の長さを最も長くすることができるので、設置可能な範囲をより広くすることができる。
【００１３】
また、前記背面カバーに前記折り返し部を設けたことで、前記背面カバー自体の強度を向上させると共に、前記背面カバーに差し込み口を設けたことで、前記アーム部を両側から挟み込んで横方向の揺れを抑制することができる。
【００１４】
また、前記カバー側切り欠き部を設けたことで、前記筐体と前記壁面との設置距離が非常に近い場合、前記壁固定金具と前記アーム部が前記背面カバー側面と重なる位置に差し込まれた時でも、前記カバー側切り欠き部に前記組み合わせ固定具が入り込ませると共に、前記折り返し側切り欠き部を開口することで、前記組み合わせ固定具が容易に前記差し込み口を通過させることができるので、前記背面カバーに前記組み合わせ固定具を入り込ませる分だけ設置可能な範囲を広げることができる。また、前記背面カバーの側面に重なるように前記アーム部をはみ出さずにしまい込むことができるので、梱包時や輸送時にコンパクトに収納することができる。
【図面の簡単な説明】
【００１５】
【図１】本発明の第１実施形態の使用状態を説明する図
【図２】本発明の実施形態の分解斜視図
【図３】本発明の第１実施形態の別使用状態を説明する図
【図４】本発明の第２実施形態の使用状態を説明する図
【図５】本発明の第２実施形態の別使用状態を説明する図
【図６】本発明の第３実施形態の背面カバー２の斜視図
【図７】本発明の第４実施形態の背面カバー２の斜視図
【図８】本発明の第４実施形態の使用状態を説明する図
【発明を実施するための形態】
【００１６】
次に、本発明の実施形態の筐体と壁面とを固定する壁固定構造の構成について図面に基づいて説明する。
図１は筐体を壁面に設置した状態を側面から見た図である。１は略直方体形状の筐体であり、例えば温風暖房機の筐体、２は温風暖房機の筐体１の背面に設けられた図示しない送風ファンの少なくとも側方をカバーする背面カバー、３は温風暖房機の筐体１を設置したときに隣り合う家屋等の壁面、４は壁面３に固定するＬ字型の壁固定金具、５は一片を背面カバー２に他片を壁固定金具４にそれぞれ取り付けるアーム部、６は背面カバー２とアーム部５の一片を固定するネジ等の調節固定具、７は壁固定金具４とアーム部５の他片を固定するネジ等の組み合わせ固定具である。
【００１７】
次に、本発明の各部分の配置や構造を図面に基づいて説明する。
図２は、本発明の実施形態を分解した要部斜視図である。８は背面カバー２の側面に開口された穴部、９はアーム部５を介して背面カバー２を調節固定具６で螺着するための調節穴、１０は壁面３と壁固定金具４を固定するネジ等の壁用固定具、１１は壁固定金具４を介して背面カバー２を壁用固定具１０で螺着するための壁用固定穴、１２は壁固定金具４とアーム部５とをそれぞれ組み合わせるために開口された組み合わせ穴である。
【００１８】
アーム部５は、アーム部５の一片を背面カバー２の側面に開口した穴部８に調節固定具６で螺着し、アーム部５の他片を壁固定金具４に開口した組み合わせ穴１２に組み合わせ固定具７で螺着して、背面カバー２と壁固定金具４とをつなげている。そして、壁固定金具４とアーム部５は組み合わせ固定具７を回転中心として、自由に回動が可能に構成さると共に、背面カバー２とアーム部５は調節固定具６を回転中心として、自由に回動が可能な構成としている。また、アーム部５の長さは少なくとも背面カバー２の奥行きの長さよりも長い構成としている。
【００１９】
また、アーム部５の回動の角度は、角の頂点を組み合わせ固定具７とした地上面の平行線とアーム部５の中心線とで表した角度とする。
【００２０】
次に、図１の作業現場での場合の取り付け方法について説明する。
筐体１と壁面３との設置距離が近距離の場合は、設置距離に応じて、壁固定金具４と壁面３とを壁用固定具１０で固定する。その時、アーム部５は設置距離が短くなるにつれて、壁固定金具４とアーム部５の角度が大きくなると共に、壁固定金具４と壁面３との固定位置を下げていくが、壁固定金具４とアーム部５は組み合わせ固定具７を回転中心として回動すると共に、背面カバー２とアーム部５は調節固定具６を回転中心として回動させることで、壁固定金具４とアーム部５とを介して筐体１と壁面３を固定することができる。
【００２１】
次に、図３の作業現場での場合の取り付け方法について説明する。
筐体１と壁面３との設置距離が遠距離の場合は、設置距離に応じて、壁固定金具４と壁面３とを壁用固定具１０で固定する。その時、アーム部５設置距離が長くなるにつれて、壁固定金具４とアーム部５の角度が小さくなり水平状態に近い状態になると共に、壁固定金具４と壁面３との固定位置を上げていくが、壁固定金具４とアーム部５は組み合わせ固定具７を回転中心として回動すると共に、背面カバー２とアーム部５は調節固定具６を回転中心として回動させることで、壁固定金具４とアーム部５とを介して筐体１と壁面３を固定する。ただし、壁固定金具４とアーム部５が水平になり、角度が０になったところが実施形態１の最大設置距離とする。
【００２２】
このように、組み合わせ固定具７を回転中心として、壁固定金具４とアーム部５とを回動できようにしたと共に、調節固定具６を回転中心として、背面カバー２とアーム部５とを回動できるようにしたことで、筐体１と壁面３の設置距離に合わせて、壁面３と壁固定金具４との固定位置を適宜上下させて取り付けても、壁固定金具４とアーム部５に角度をつけることでアーム部を固定することができる。
【００２３】
例えば、設置距離が近距離の場合は、壁固定金具４とアーム部５に角度をつけることで固定することができる。また、設置距離が遠距離の場合は、壁固定金具４とアーム部５を水平にすることで壁固定金具４とアーム部５を介して、背面カバー２と壁面３を固定することができるので、設置距離に応じた長短の金具を付け替えることなく簡単な構成で筐体１と壁面３との設置可能な範囲を広くすることができる。
【００２４】
次に背面カバー２の穴部５の形状を変更した第２の実施形態について図４に基づいて説明する。ここでは、第１の実施形態と同一のものは同一の符号を付してその説明を省略する。
【００２５】
１３は、背面カバー２の側面の壁面３側の上端近傍の一端から水平に開口された水平長穴部と、水平長穴部の筐体１側末端から垂直下向きに背面カバー２の下端近傍の他端まで開口された垂直長穴部とからなる直角長穴である。
【００２６】
そして、穴部８を直角長穴１３にしたことで、直角長穴１３の範囲分だけ壁面３との距離を適宜移動させることができるため、設置場所によって壁面３との距離が異なっていても確実に固定する事ができる。
【００２７】
また、アーム部５の長さは、直角長穴１３の一端と長穴１３の他端を直線で結んだ長さと略同寸とするので、背面カバー２の奥行きの長さよりも長いアーム部５とし、且つ、アーム部５が背面カバー２からはみ出すことなく背面カバー２の側面に重ねられるものとする。
【００２８】
次に、穴部８を直角長穴１３に変えたとき、図４の作業現場での場合の取り付け方法について説明する。
筐体１と壁面３との設置距離が近距離の場合は、直角長穴１３上部と同じ高さの壁面３に壁用固定具１０で固定する。そして、設置距離に応じてアーム部５の調節固定具６を直角長穴１３の範囲分をスライドさせて、アーム部５を背面カバー２の側面と重なるように差し込み調節固定具６で固定する事で、壁固定金具４とアーム部５とを介して筐体１と壁面３を固定する。また、調節固定具６を直角長穴１３の垂直長穴部の範囲にスライドさせた時、壁固定金具４とアーム部５は角度がつく状態になるが、壁固定金具４とアーム部５は組み合わせ固定具７を回転中心として回動すると共に、背面カバー２とアーム部５は調節固定具６を回転中心として回動させることで、壁固定金具４とアーム部５とを介して筐体１と壁面３を固定することができる。
【００２９】
次に、図５の作業現場での場合の取り付け方法について説明する。
筐体１と壁面３との設置距離が遠距離の場合は、直角長穴１３上部と同じ高さの壁面３に壁用固定具１０で固定する。そして、設置距離に応じてアーム部５の調節固定具６を直角長穴１３の範囲分をスライドさせて、設置距離が近距離の際に背面カバー２の側面に重なるように差し込んでいたアーム部５を引き抜き、調節固定具６で固定する事で、壁固定金具４とアーム部５とを介して筐体１と壁面３を固定する。また、調節固定具６を直角長穴１３の水平長穴部の範囲にスライドさせた時、壁固定金具４とアーム部５は水平状態になるが、壁固定金具４とアーム部５は組み合わせ固定具７を回転中心として回動すると共に、背面カバー２とアーム部５は調節固定具６を回転中心として回動させることで、壁固定金具４とアーム部５とを介して筐体１と壁面３を固定することができる。
【００３０】
このように、直角長穴１３を設けると共に、調節固定具４とアーム部５とを長穴１３の範囲内をスライド可能にしたことで、長穴１３の奥行き分だけ前記第１の実施形態よりも設置可能な範囲を広げることができると共に、筐体１の設置距離に関わらず壁面３上部で固定することができるので、壁固定金具４の取り付け作業がしやすい。また、アーム部５の長さは直角長穴１３の一端と直角長穴１３の他端を直線で結んだ長さと略同寸の長さであると共に組み合わせ固定具７を回転中心として、壁固定金具４とアーム部５とを回動できようにしたと共に、調節固定具６を回転中心として、背面カバー２とアーム部５とを回動できるので、設置距離が近距離の場合でも遠距離の場合でも設置可能な範囲を広げると共に、設置距離に応じた長短の金具を付け替えることなく簡単な構成で固定することができる。
【００３１】
次に背面カバー２の形状を変更した第３の実施形態について図６に基づいて説明する。ここでは、第１の実施形態と同一のものは同一の符号を付してその説明を省略する。
【００３２】
１４はアーム部５が背面カバー２に固定される方向に向けて、背面カバー２の端面を直角に折り返すような折り返し部、１５は折り返し部１４にアーム部５を出し入れ可能にする差し込み口である。
【００３３】
筐体１と壁面３を壁固定金具４とアーム部５を介して固定する場合、背面カバー２の端面に設けた折り返し部１４に開口された差し込み口１５にアーム部５を差し込み、アーム部５の一片を背面カバー２に開口された直角長穴１３に調節固定金具で螺着することで固定する。
【００３４】
このように、背面カバー２の端面に折り返し部１４を設けた事で、背面カバー２の強度を高めることができる。また、折り返し部１４に差し込み口１５を開口してアーム部５を両側で挟み込むようにしたことで、地震等で発生した横方向の揺れを抑制することができる。
【００３５】
次に背面カバー２の形状を変更した第４の実施形態について図７に基づいて説明する。ここでは、第１の実施形態と同一のものは同一の符号を付してその説明を省略する。
１６は、アーム部５を差し込み口１５に差し込んだとき、アーム部５と壁固定金具４を固定している組み合わせ固定具７が背面カバー２に当たる場所に、水平方向に設けられたカバー側切り欠き部、１７はアーム部５を差し込み口１５内で出し入れしたとき、組み合わせ固定具１２が折り返し部１４を通過する位置に、水平方向に設けられた折り返し側切り欠き部である。
【００３６】
そして、カバー側切り欠き部１６は、アーム部５を差し込み口１５に差し込み、アーム部５の調節固定具６が直角長穴１３の他端までスライドさせようとすると、壁固定金具４とアーム部５を固定する組み合わせ固定具７が背面カバー２の端部に当たってしまい、調節固定具６が直角長穴１３の他端までスライドできないことを防ぐように設けられている。
また、カバー側切り欠き部１６の大きさは少なくとも組み合わせ固定具７が収納できる大きさを有する。
【００３７】
また、折り返し側切り欠き部１７は、アーム部５を差し込み口１５に差し込み、アーム部５の調節固定具６が直角長穴１３の他端までスライドさせようとすると、壁固定金具４とアーム部５を連結させる組み合わせ固定具７が背面カバー２の折り返し部１４に当たってしまい、調節固定具６が直角長穴１３の他端までスライドできないことを防ぐと共に、差し込み口１５を組み合わせ固定具７が通過できるように設けている。
【００３８】
次に、図８の作業現場での場合の取り付け方法について説明する。
筐体１と壁面３との設置距離がほとんど無い近距離だった場合は、直角長穴１３上部と同じ高さの壁面３に壁用固定具１０で固定する。そして、調節固定具６を長穴１３の他端までスライドさせる。その時、壁固定金具４とアーム部５は角度がつく状態になるが、壁固定金具４とアーム部５は組み合わせ固定具を回転中心として回動すると共に、背面カバー２とアーム部５は調節固定具６を回転中心として回動させると共に、組み合わせ固定具７は折り返し側切り欠き部１７を通過し、カバー側切り欠き部１６内に収納することで、設置距離がほとんど無い場合でも壁固定金具４とアーム部５とを介して筐体１と壁面３を固定することができる。
【００３９】
このように、カバー側切り欠き部１６を設けたことで、調節固定金具６を直角長穴１３の他端までスライドさせた場合、組み合わせ固定具７が背面カバー２の端部に当たり、直角長穴１３の他端までスライドできないことを防ぐと共に、組み合わせ固定具７をカバー側切り欠き部１６内に収納することができる。また、カバー側切り欠き部１６を設けた事で、調節固定金具６を直角長穴１３の他端までスライドさせた場合、組み合わせ固定具７が折り返し部１４に当たり、直角長穴１３の他端までスライドできないことを防ぎ、組み合わせ固定具７を容易に通過させることができる。そして、カバー側切り欠き部１６と折り返し切り欠き部１７を設けた事で、設置距離がほとんど無いときでも、調節固定具６を長穴１３の他端にスライドさせ、組み合わせ固定具７をカバー側切り欠き部１６内に収納することで、第２の実施形態よりも設置可能な範囲を広げることができる。
【００４０】
また、背面カバー２の側面に重なるようにアーム部５をはみ出さずにしまい込むことができるので、梱包時や輸送時にコンパクトに収納することができる。
【００４１】
なお、本発明は実施形態に限定されるものではなく、要旨を変更しない範囲で改変することを妨げるものではなく、例えば、本発明では長穴を直角に開口された直角長穴１３としているが背面カバー２の側面の壁面３側の上部に長穴の一端と、長穴の一端から少なくとも背面カバー２の奥行きの長さよりも距離が長い場所に他端を設ければ、長穴の一端と長穴の他端とが結ばれた長穴がどんな形状をしていても良いものである。
【００４２】
また、本発明では背面カバー２に直角長穴１３を開口していたが直接筐体１に直角長穴１３を設けてもよいものである。
【００４３】
また、本実施形態では筐体として温風暖房機を例にあげたが、これに限らず電気温水器や給湯機等の筐体であっても本発明を適用可能である。
【符号の説明】
【００４４】
１    筐体
２    背面カバー
３    壁面
４    壁固定金具
５    アーム部
６    調節固定具
８    穴部
１３  直角長穴
１４  折り返し部
１５  差し込み口
１６  カバー側切り欠き部
１７  折り返し側切り欠き部
【図１】
0006359414.tif 000002
【図２】
0006359414.tif 000003
【図３】
0006359414.tif 000004
【図４】
0006359414.tif 000005
【図５】
0006359414.tif 000006
【図６】
0006359414.tif 000007
【図７】
0006359414.tif 000008
【図８】
0006359414.tif 000009